(57)【特許請求の範囲】
【請求項１】
電動送風機及び集塵部を有する掃除機本体と、一端が前記掃除機本体に接続されたホースと、一端が前記ホースの他端に接続される手元操作部と、一端が該手元操作部の他端に接続される延長管と、前記延長管の他端に接続される吸口体と備えた電気掃除機において、
前記手元操作部、または前記延長管の他端側に接続可能な吸込みアタッチメントを備え、
該吸込みアタッチメントは複数の回動連結部を有し、
前記複数の回動連結部の間に接続管を有し、
前記複数の回動連結部は、前記接続管の方向と異なる方向に回動軸を有し、前記複数の回動連結部は前記回動軸周りに回動し、
前記接続管の先端部は、隙間を掃除可能な形状を有し、
前記回動連結部のうち先端側の回動連結部の他端部は、前記接続管の先端部を受け入れ可能な筒形状を有し、
前記先端側の回動連結部の先端部は、当該先端部から他端側下方向に向かって傾斜して形成された吸い込み口を有し、
前記回動連結部の少なくとも１つは、上下逆となっても前記接続管に対して着脱可能に接続されることを特徴とする電気掃除機。
【請求項２】
請求項１において、
前記接続管の先端部は、隙間を掃除可能なように断面が上下方向に細長い形状を有し、  前記先端側の回動連結部の他端部は、前記接続管の先端部を受け入れ可能なように断面が上下方向に細長い形状を有することを特徴とする電気掃除機。
【請求項３】
請求項１または２において、
前記接続管は伸縮可能であることを特徴とする電気掃除機。
【請求項４】
請求項１乃至３の何れかにおいて、
前記吸込みアタッチメントは前記手元操作部、または前記延長管の他端側に上下逆に取付け可能なことを特徴とする電気掃除機。
【請求項５】
請求項１乃至４の何れかにおいて、
前記接続管の先端部と前記先端側の回動連結部の他端部とは、前記接続管の先端部と前記先端側の回動連結部の他端部とが接続された場合に、抜け止め突起とその抜け止め突起を受ける穴とによって固定されることを特徴とする電気掃除機。
【請求項６】
請求項５において、
前記抜け止め突起は、前記接続管の先端部の側面に形成されることを特徴とする電気掃除機。
【請求項７】
請求項１乃至６の何れかにおいて、
前記先端側の回動連結部の他端部の前記吸い込み口は、刷毛を備えることを特徴とする電気掃除機。
【請求項８】
請求項１乃至７の何れかにおいて、
前記先端側の回動連結部の先端側に位置する回動吸込み口は、前記回動連結部の少なくとも１つの他端側に位置する継手の回動ベース部を覆う回動部と回動カバーとを備え、
前記回動吸込み口は、前記回動部および前記回動カバーに形成された切り欠き部によって、前記継手に対する回動が規制され、
前記回動連結部の少なくとも１つは、４５度まで回動可能であることを特徴とする電気掃除機。
【発明の詳細な説明】
【技術分野】
【０００１】
本発明は電気掃除機に関する。
【背景技術】
【０００２】
従来の電気掃除機は、例えば特許文献１（特開２０００−３００４８４号公報）に開示されているように、グリップ部と延長パイプの間に延長パイプ折曲用アタッチメントを設けている。この折曲用アタッチメントは、Ｌ字状の２本のエルボパイプから構成され、この２本のエルボパイプを回動可能に接続している。そして、このエルボパイプを回動させることにより、ベッドやテーブルの下、あるいはエアコンなどの上部の掃除を行うようにしている。
【０００３】
また、特許文献２（特開２００２−２５３４５６号公報）に開示されているように、上延長管と下延長管との間に回動可能な間接部を設け、ソファやベッドの下などの掃除を行うようにした電気掃除機が提案されている。
【０００４】
また、特許文献３（特開２００７−４４２６７号公報）に開示されているように、吸込口部に連結部を介して接続管を接続し、連結部の回動軸を中心にし接続管を吸込口部の吸込口側まで回動させ、エアコンや家具の上などの掃除を行うようにした電気掃除機が提案されている。
【０００５】
【特許文献１】特開２０００−３００４８４号公報
【特許文献２】特開２００２−２５３４５６号公報
【特許文献３】特開２００７−４４２６７号公報
【発明の開示】
【発明が解決しようとする課題】
【０００６】
しかしながら、上記特許文献１に記載の電気掃除機においては、回動部としての延長パイプ折曲用アタッチメントは、グリップ部と延長パイプの間にのみあるので、高所を掃除するにあたっては重い延長パイプと床用吸込具を高所の上面と同じ高さまで持ち上げる必要があり、また操作ハンドル位置も高いため、腕を上げながらの掃除を強いられ、身体的負担が大きい。また、床用吸込具に代えて簡単なブラシ付き吸込具にした場合、ブラシ面を高所の上面に押し付けるようにするため、延長管及び操作ハンドルはさらに高い位置に持ち上げながら掃除しなければならないという問題がある。
【０００７】
また、上記特許文献２に記載の電気掃除機においても、上延長管と下延長管との間に回動可能な間接部を設けているので、高所を掃除するにあたっては重い延長管と床用吸込具を高所の上面と同じ高さまで持ち上げる必要があり、腕を上げながらの掃除を強いられ、身体的負担が大きいものである。
【０００８】
また、上記特許文献３に記載の掃除機においては、高所掃除の場合、掃除箇所に接続管が接触するので、吸込口部の長さ分しか奥行きに対して掃除ができず、家具や冷蔵庫の天面などの奥が掃除できないものであった。
【０００９】
本発明の目的は上記課題を解決し、高所掃除等における操作性を向上させた電気掃除機のアタッチメントを提供することにある。
【課題を解決するための手段】
【００１０】
上記目的を達成するために本発明の特徴とするところは、電動送風機及び集塵部を有する掃除機本体と、一端が前記掃除機本体に接続されたホースと、一端が前記ホースの他端に接続される手元操作部と、一端が該手元操作部の他端に接続される延長管と、前記延長管の他端に接続される吸口体と備えた電気掃除機において、前記手元操作部、または前記延長管の他端側に接続可能な吸込みアタッチメントを備え、該吸込みアタッチメントは複数の回動連結部を有し、前記複数の回動連結部の間に接続管を有し、前記複数の回動連結部は、前記接続管の方向と異なる方向に回動軸を有し、前記複数の回動連結部は前記回動軸周りに回動し、前記接続管の先端部は、隙間を掃除可能な形状を有し、前記回動連結部のうち先端側の回動連結部の他端部は、前記接続管の先端部を受け入れ可能な筒形状を有し、前記先端側の回動連結部の先端部は、当該先端部から他端側下方向に向かって傾斜して形成された吸い込み口を有し、前記回動連結部の少なくとも１つは、上下逆となっても前記接続管に対して着脱可能に接続されるようにしたことにある。
【発明の効果】
【００１１】
本発明によれば、高所等の掃除機における操作性を向上させた電気掃除機を提供することにある。
【発明を実施するための最良の形態】
【００１２】
以下、本発明の実施例を添付の図面に基づいて説明する。
【実施例１】
【００１３】
図１５は本発明の一実施例に係る電気掃除機の外観斜視図である。図１５において、１０は吸引力を発生させる電動送風機及び集塵部を備えた掃除機本体、１１は一端がホース継手１１ａを介して掃除機本体１０に接続されたホースであり、集塵部と連通する。１２は一端がホース１１の他端に接続され、電動送風機の入切を行うスイッチ操作部１２ａを備えた手元操作部である。１３は一端が手元操作部１２の他端に接続され伸縮可能な延長管であり、１４は延長管１３の他端に接続された吸口体である。ホース１１，手元操作部１２，延長管１３，吸口体１４のそれぞれの内部には吸込み通路が形成され、吸口体１４と掃除機本体１０の集塵部とが連通する。使用者がスイッチ操作部１２ａを操作し電動送風機が運転を開始すると、吸引力が発生する。この吸引力は吸口体１４に至り、吸口体１４から吸込んだ塵埃は延長管１３，手元操作部１２，ホース１１を通り、掃除機本体１０の集塵部に集塵される。
【００１４】
手元操作部１２と延長管１３、延長管１３と吸口体１４とはそれぞれ着脱自在に接続されている。木床や畳，絨毯といった掃除の場合は、手元操作部１２，延長管１３，吸口体１４を接続した状態で掃除を行う。家具の隙間、あるいは家具の上部やエアコンを掃除する場合には、手元操作部１２から延長管１３を、あるいは延長管１３から吸口体１４を取り外し、手元操作部１２あるいは延長管１３にアタッチメントを接続して目的に応じた掃除を行う。以下、本実施例においては、特に家具の上部やエアコンといった高所掃除に有効な掃除機用のアタッチメントについて説明する。
【００１５】
図１は本発明の一実施例に係る掃除機用アタッチメント１００の全体外観図である。掃除機用アタッチメント１００は、手元操作部１２側にある回動接続部２００（第１の回動接続部）と、中間の接続管３００と、先端側の回動接続部４００（第２の回動接続部）とから構成されている。中間の接続管３００は回動接続部２００と回動接続部４００との間に位置し、伸縮可能となっている。
【００１６】
図２は回動接続部２００の分解斜視図である。図２に示すように手元側の回動接続部２００は、ホース１１または延長管１３と連通する筒形状部２０５とこの筒形状部２０５の軸方向と直角方向に開いている椀形状部２０６とから成る後継手２０１と、椀形状部２０６と略対称形状で対向してある椀形状カバー２０４と、筒形状部２０７と筒形状部２０７の軸方向と直角方向に軸を持つ樽形状部２０８とから成る前継手２０２とで構成されている。筒形状部２０７は中間の接続管３００と接続される。
【００１７】
前継手２０２の樽形状部２０８は、後継手２０１の椀形状部２０６及び、椀形状カバー２０４の内側表面を略オフセットした形状であり、椀形状部２０６と椀形状カバー２０４に摺動可能（回動可能）に当接して組み立てられる。椀形状部２０６と椀形状カバー２０４には、それぞれ切り欠き部２０９，２１０があり、前継手２０２は切り欠き部の上端２１１と下端２１２の間を回動できる。前継手２０２と椀形状カバーの間には、回動角度位置を知らしめるノッチ感（クリック感）を発生させるノッチリング２０３を配置している。ノッチリング２０３は、円環形状で内周に回り止め突起２１３を有し、外周にはノッチ感を（クリック感）発生させるノッチ突起２１４（突起）を有し、ノッチ突起２１４は前継手２０２の樽形状部２０８の椀形状カバー２０４が当接する側の底面に設けた回り止め溝２１５に挿入してあり、前継手２０２と一緒に回動するようになっている。
【００１８】
図３に示すように椀形状カバー２０４の内側底面には、ノッチリング２０３の外周のノッチ突起２１４を押し込み、ノッチリング２０３をたわませる略円形リブ２１６があり、この円形リブ２１６にはノッチリング２０３の外周のノッチ突起２１４を押し込まない凹み部２１７が所定の角度に形成されている。これにより後継手２０１と前継手２０２は、椀形状部２０６と樽形状部２０８の中心軸を軸として回動可能で、ノッチリング２０３はノッチ突起２１４が略円形リブ２１６の凹み部２１７内に収まっていて、前継手２０２の回動に際しノッチリング２０３は前継手２０２と一緒に回動し、ノッチ突起２１４は凹み部２１７を乗り上げてリングの半径方向にたわみ、略円形リブ２１６に当接しながら回動先の凹み部２１７へ到達し、たわみが解放されて凹み部２１７に収まり、この収まりによって回動角度位置はある程度固定されるのである。
【００１９】
本実施例においては、ノッチ突起２１４の個数は２個で、凹み部２１７の箇所は２箇所であるが、本構成に限定されるものではない。ノッチリング２０３の設置については、本事例とは逆にノッチリング２０３を挿入する溝２１５を椀形状カバー２０４に、ノッチリング２０３をたわませる円形リブ２１６を前継手２０２に形成してもよい。また、ノッチリング２０３は、後継手２０１と前継手２０２が当接する側にあってもよく、さらに、両側に設けて２個使いとすれば、それぞれのノッチリングに掛かるたわみ力を分散できて、信頼性を向上することができる。ノッチ感を発生させる方法は、本事例の方法に限定されるものではなく、例えばリングの代わりにコイルバネを、ノッチ突起の代わりに鋼球を使用すれば、同様の効果を得られるのである。
【００２０】
後継手２０１の筒形状部２０５には手元操作部１１の接続部または延長管１３が接続可能となっており、手元操作部１１または延長管１３に設けられた着脱用クランプの抜け止め用の爪（図示せず）を受ける凹み部２１８がある。また前継手２０２の筒形状部２０７には接続管３００が接続部３０５によって接続可能となっており、接続管の抜け止め用突起３０５ａを受ける穴部２１９がある。
【００２１】
図４，図５に示すように接続管３００は、中空の鞘体３０１（外管）に中空のブレード体３０２（内管）が伸縮自在に収められている。ブレード体３０２の外側下面には等間隔で凹み部３０９が形成されている。鞘体３０１のブレード体３０２が伸縮出入りする側の端部には、ストッパー３０３が軸３０４で回動自在に備えられている。鞘体３０１の他端側（接続部３０５）の外周には、抜け止め突起３０５ａが形成され、ブレード体３０２の先端側面にも抜け止め突起３０６ａが形成されている。ブレード体３０２の先端部は、先端部から他端側下方に向かって傾斜するように形成されている。この傾斜により、手元操作部１２あるいは延長管１３に接続管３００を接続した状態で、隙間等の掃除を行うことができる。また、このブレード体３０２の先端部は回動接続部４００との接続部３０６となっており、この接続部３０６に回動接続部４００と接続した時の抜け止め突起３０６ａが形成されている。
【００２２】
図６，図７にストッパー３０３の構成を示す。図６，図７に示すようにストッパー３０３は、バネ等の弾性体３０７により爪部３０８がブレード体３０２の外表面に形成された複数の凹み部３０９に嵌まる方向に付勢されており、ブレード体３０２の伸縮位置を固定する。弾性体３０７の付勢に抗して使用者が指でストッパー３０３を押している間は、爪部３０８がブレード体３０２の凹み部３０９から離れるので、ブレード体３０２の伸縮を自由に行うことができる。
【００２３】
図８に回動接続部４００の構成を示す。図８に示すように先端側の回動接続部４００は、接続管３００のブレード体３０２の先端部を受け入れる筒形状部４０６と、略円形の回動ベース部４０７とから成る継手４０１と、略円形の回動部４０８と吸込み口４０９とから成る回動吸込み口４０２と、回動吸込み口４０２の回動部４０８と対向してある回動カバー４０５と、蓋体４０４とから構成されている。回動吸込み口４０２の回動部４０８と回動カバー４０５は、継手４０１の回動ベース部４０７を覆うように、且つ回動ベース部４０７に対し摺動可能に組み立てられる。
【００２４】
回動吸込み口４０２の回動部４０８と回動カバー４０５には、それぞれ切り欠き部４１０，４１１があり、回動吸込み口４０２は切り欠き部の上端部４１２と下端部４１３が継手４０１に突き当たるまでの間を回動できる。回動ベース部４０７と回動部４０８の接続間には、回動角度位置を知らしめるノッチ感を発生させるノッチリング４０３を配置している。ノッチリング４０３は、ノッチリング２０３と同様な形状であり、回り止め突起４１４とノッチ突起４１５（突起）を有し、継手４０１の回動ベース部４０７の側面に設けた回り止め溝４１６に挿入してある。
【００２５】
回動吸込み口４０２の回動部４０８には、ノッチリング４０３の外周のノッチ突起４１５を押し込みノッチリング４０３をたわませる略円形穴４１７があり、この円形穴４１７にはノッチリング４０３の外周のノッチ突起２１４を押し込まない凹み部４１８が所定の角度に形成されている。また、回動部４０８には爪穴４１９が形成されており、蓋体４０４は爪４２０を嵌め合わせ固定されている。
【００２６】
これにより継手４０１と回動吸込み口４０２は、回動ベース部４０７と回動部４０８の中心軸を軸として回動可能で、ノッチリング４０３はノッチ突起４１５が略円形穴４１７の凹み部４１８内に収まっていて、回動吸込み口４０２の回動に際し、ノッチ突起４１５は凹み部４１８を乗り上げてリングの半径方向にたわみ、略円形穴４１７に当接しながら回動先の凹み部４１８へ到達し、たわみが解放されて凹み部４１８に収まり、この収まりによって回動角度位置はある程度固定されるのである。
【００２７】
本実施例においては、ノッチ突起４１５の個数は２個で、ノッチする箇所は２箇所であるが、本構成に限定されるものではない。ノッチリング４０３の設置については、本実施例とは逆にノッチリング４０３を挿入する溝４１６を回動吸込み口４０２に、ノッチリング４０３をたわませる略円形穴４１７を継手４０１に形成してもよい。
【００２８】
また、ノッチリング４０３は、継手４０１と回動カバー４０５が当接する側にあってもよく、さらに、両側に設けて２個使いとすれば、それぞれのノッチリングに掛かるたわみ力を分散できて、信頼性を向上することができる。
【００２９】
ノッチ感（クリック感）を発生させる方法は、本事例の方法に限定されるものではなく、例えばリングの代わりにコイルバネを、ノッチ突起の代わりに鋼球を使用すれば、同様の効果を得られるのである。
【００３０】
継手４０１の筒形状部４０６には、接続管３００のブレード体３０２の先端部にある抜け止め突起３０６ａを受ける穴部４２１がある。
【００３１】
そして、回動吸込み口４０２の先端部は、先端部から他端側下方に向かって傾斜するように形成されている。この傾斜により、手元操作部１２あるいは延長管１３に接続管３００を接続した状態で、隙間等の掃除を行うことができる。また、傾斜した切り口には、本実施例のように、切り口部の端面に刷毛４２２を植毛することもでき、この刷毛４２２により、掃き，拭きといった掃除効果も得られる。
【００３２】
図９は接続管３００に回動接続部２００及び回動接続部４００を接続した状態を示す図である。図９では、回動接続部２００が接続管３００に接続された状態で接続管３００を下方に向けるように回動しており、さらに回動接続部４００が接続管３００に接続された状態で回動接続部４００の先端部が下方に向くように回動している。図９に示すように、手元側の回動接続部２００と中間の接続管３００と先端側の回動接続部４００はそれぞれの接続部で接続され、抜け止め突起により容易に外れなくなっている。手元側の回動接続部２００と先端側の回動接続部４００は、それぞれ回動角４５°回動させ、ノッチにより回動位置がある程度固定される。手元操作部１２に延長管１２の一端を接続し、延長管１２の他端に回動接続部２００を接続し、中間の接続管３００を最長に延長すると、図１０に示すように、例えば家具の上面や一般的な冷蔵庫の上面を掃除することができる。手元操作部１２は家具９００より低い位置にあり、これに接続される延長管１３の一端も家具９００より低い位置にあるが、延長管１３は他端（先端）は家具９００の上方に位置している。延長管１３は他端側が上を向くように傾斜した状態となっている。延長管１３の他端に接続される回動接続部２００は、これに接続される接続管３００が家具９００の上面に沿うように、下方に向けて回動している。この回動により、接続管３００は家具９００の上面を沿うような状態となる。さらに接続管３００に接続される回動接続部４００は、回動吸込み口４０２の先端部が家具９００の上面に向くように下方に向けて回動し、回動吸込み口４０２の先端部に設けられた刷毛４２２が家具９００の上面に接触する。これにより、家具の上面や一般的な冷蔵庫の上面を掃除することが可能となる。本実施例の場合、高さ寸法が１８００mm、奥行き寸法が６００mmあるような家具９００においても、手元操作部１２を１２００mm程度の高さまで持ち上げると、家具９００の上面の奥まで容易に掃除を行うことができる。
【００３３】
本実施例においては、手元側の回動接続部２００と先端側の回動接続部４００といったように回動接続部を複数設けたことにより、手元操作部１１の高さ位置は高所の被掃除面よりも低い位置にあり、使用者の腕に掛かる負担は小さいのである。また、回動接続部間を伸縮可能としているので、奥行き寸法が短い高所にも対応するのである。ノッチは、ロックに比べロック解除の操作が不要であり、また、無理に力が掛かった場合、ロックではロック箇所が破損する恐れがあるのに対し、ノッチでは回動することで力が集中せず逃げるので破損の恐れは少ない。
【００３４】
ここで、掃除機用アタッチメント１００は、手元操作部１１の接続部にも接続可能であるから、延長管１３を接続せずに使用することもできる。また、接続方法は抜け止め突起による方法に限らず、ねじ接続やクランプ接続で構成して、強固な接続としてもよい。
【００３５】
また、図１１に示すように、手元側の回動接続部２００と中間の接続管３００と先端側の回動接続部４００は、分離可能としてもよい。これらは、抜け止め突起で容易に外れないようになってはいるものの接続しないで使用することは可能であり、例えば先端側の回動接続部４００を接続しないようにすれば、先端側の回動接続部４００の幅では入らなかった狭い隙間にも到達することが可能となるし、また、手元側の回動接続部２００に短い吸込み口（図示せず）を接続すれば身近な所の掃除に適するのである。
【００３６】
回動接続部４００は、接続管３００に接続された状態で刷毛４２２が下方側を向くような状態（図１，図９，図１０，図１１）の他に、図１２に示すように、接続管３００に接続された状態で刷毛４２２が上方側を向くような状態となるように、先端側の回動接続部４００を上下（左右）逆にして取付けることができる。すなわち、回動接続部４００の回動方向が接続管３００に対して異なる方向に回動するように、回動接続部４００が接続管３００に着脱自在となっている。回動接続部４００を接続管３００に対して上下方向（左右方向）を逆に接続することにより、接続管３００に対する回動接続部４００の回動方向を異ならせることができ、掃除できる範囲が広がる。
【００３７】
本実施例では、接続管３００に接続された状態で刷毛４２２が上方側を向くようにすると、図１３に示すように、例えば天井８００など、掃除面が真下を向いた箇所も掃除することができ、しかも回動接続部間を伸縮可能としているので、家具９００などが邪魔をして延長管１３などが届かない、奥行きのある狭い空間の天井面でも掃除することができる。
【００３８】
手元操作部１２は天井８００より低い位置にあり、これに接続される延長管１３の一端も天井８００より低い位置にあるが、延長管１３は他端（先端）は天井８００の近くに位置している。延長管１３は他端側が上を向くように傾斜した状態となっている。延長管１３の他端に接続される回動接続部２００は、これに接続される接続管３００が天井８００に沿うように、下方に向けて回動している。この回動により、接続管３００は天井８００の下面を沿うような状態となる。さらに接続管３００に接続される回動接続部４００は、回動吸込み口４０２の先端部が天井８００を向くように上方に向けて回動し、回動吸込み口４０２の先端部に設けられた刷毛４２２が天井８００に接触する。これにより、天井８００を掃除することが可能となる。しかも家具９００の上方に位置する天井８００であっても、家具９００と干渉することなく、家具９００との接触を回避しつつ天井８００の掃除を行うことができる。本実施例の場合、高さ寸法が２２００mmの天井８００においても、手元操作部１２を１４００mm程度の高さまで持ち上げると、天井８００の清掃を容易に掃除を行うことができる。
【００３９】
また、本実施例では、図１４に示すように机１０００の下など、床面との空間が狭く、延長管１３の入らない奥行きのある隙間でも掃除することができる。この場合、接続管３００に接続される回動接続部２００を、図９，図１０，図１３に示す状態とは上下逆に回動するように取付ける。図９，図１０，図１３においては、延長管１３に接続された回動接続部２００が、延長管１３に対して接続管３００を下方に回動するように接続している。図１４では、これとは逆に延長管１３に接続された回動接続部２００が、延長管１３に対して接続管３００を上方に回動するよう接続にしている。
【００４０】
手元操作部１２は机１０００より高い位置にあり、これに接続される延長管１３の一端も机１０００より高い位置にあるが、延長管１３は他端（先端）は下方の床面１２００近くに位置している。延長管１３は他端側が下を向くように傾斜した状態となっている。延長管１３の他端に接続される回動接続部２００は、これに接続される接続管３００が床面１２００に沿うように、延長管１３の軸方向に対して上方に向けて回動している。この回動により、接続管３００は床面１２００を沿うような状態となる。さらに接続管３００に接続される回動接続部４００は、回動吸込み口４０２の先端部が床面１２００を向くように下方に向けて回動し、回動吸込み口４０２の先端部に設けられた刷毛４２２が床面１２００に接触する。これにより、床面１２００を掃除することが可能となる。
【００４１】
また、図１２に示すように後継手２０１の筒形状部２０５を、凹み部２１８で受ける形状ではなく、テーパ嵌合とすれば、抜け止め用の爪がない延長管や操作ハンドルにも接続することができ、専用の接続部品を必要としないことが可能である。
【００４２】
テーパ嵌合とした場合には、掃除機用アタッチメント１００自体を手元操作部１２、または延長管１３の他端側に上下逆に取付けすることができる。この場合でも、上述した本実施例の効果を得ることが出来る。
【００４３】
以上のように本実施例によれば、掃除機用アタッチメントに回動連結部を複数設け、回動連結部の間に設けた接続管に対して回動連結部の少なくとも一方を接続管に対して上下逆に取付け可能にしたので、家具などが邪魔をして延長管などが届かない、奥行きのある狭い空間の天井面でも掃除することができる。
【００４４】
また、回動連結部間を伸縮自在としたので、さまざまな高所の奥行きに対応可能である。
【００４５】
さらに、アタッチメントは手元操作部、または延長管の他端側に上下逆に取付け可能にしたので、机の下など、床面との空間が狭く、延長管の入らない奥行きのある隙間でも掃除することができる。
【図面の簡単な説明】
【００４６】
【図１】本発明の一実施例に係る掃除機用アタッチメントの斜視図。
【図２】本発明の一実施例に係る手元側の回動接続部の分解図。
【図３】本発明の一実施例に係る椀形状カバーのＰ視図。
【図４】本発明の一実施例に係る接続管の斜視図。
【図５】本発明の一実施例に係る接続管の延長時斜視図。
【図６】本発明の一実施例に係る接続管のストッパー断面図。
【図７】本発明の一実施例に係る接続管のストッパー押し時断面図。
【図８】本発明の一実施例に係る先端側の回動接続部の分解図。
【図９】本発明の一実施例に係る掃除機用アタッチメントの回動及び延長時の斜視図。
【図１０】本発明の一実施例に係る高所掃除の一例図。
【図１１】本発明の一実施例に係る掃除機用アタッチメントの分離時斜視図。
【図１２】本発明の一実施例に係る掃除機用アタッチメントの分離時斜視図。（逆組）
【図１３】本発明の一実施例に係る天井掃除の一例図。
【図１４】本発明の一実施例に係る床面掃除の一例図。
【図１５】本発明の一実施例に係る電気掃除機の外観斜視図。
【符号の説明】
【００４７】
１００  掃除機用アタッチメント
２００，４００  回動接続部
３００  接続管
６００  延長管
【図１】
0004815474.tif 000002
【図２】
0004815474.tif 000003
【図３】
0004815474.tif 000004
【図４】
0004815474.tif 000005
【図５】
0004815474.tif 000006
【図６】
0004815474.tif 000007
【図７】
0004815474.tif 000008
【図８】
0004815474.tif 000009
【図９】
0004815474.tif 000010
【図１０】
0004815474.tif 000011
【図１１】
0004815474.tif 000012
【図１２】
0004815474.tif 000013
【図１３】
0004815474.tif 000014
【図１４】
0004815474.tif 000015
【図１５】
0004815474.tif 000016